(57)【要約】      （修正有）【課題】器具による刺激を与える早漏防止用器具を提供する。【解決手段】亀頭部の下段部に密着するように挟まれて上記亀頭部のカリに引っかかるシリコンリング１１０、吐出ホールが形成された円形キャップ１２０、上記シリコンリングから始まって上記円形キャップの外周面まで連結されて内部に上記亀頭部の受容空間を形成して、相互に離隔されて形成される少なくとも二つの線形シリコンフレーム１３０、円筒型で形成され内部に尿道に挿入される挿入ホールが形成され、上記挿入ホールが上記吐出ホールと連結されるように上記円形キャップから上記シリコンリング方向に下向きに連結され、上記受容空間の外周面に半径方向に突出されて形成される少なくとも二つの突起部１４２が含まれるシリコンインサート部１４０、及び上記シリコンインサート部の内側に挿入されるステンレス支持部を含む。【選択図】図１
0003191694.tif 000002
【実用新案登録請求の範囲】
【請求項１】
亀頭部の下段部に密着するように挟まれて上記亀頭部のカリに引っかかるシリコンリング；
吐出ホールが形成された円形キャップ；
上記シリコンリングから始まって上記円形キャップの外周面まで連結されて内部に上記亀頭部の受容空間を形成して相互に離隔されて形成される少なくとも二つの線形シリコンフレーム；
円筒形で形成され内部に尿道に挿入される挿入ホールが形成されて、上記挿入ホールが上記吐出ホールと連結されるように上記円形キャップで上記シリコンリング方向に下向きに連結され、上記受容空間の外周面に半径方向に突出されて形成される少なくとも二つ突起部が含まれるシリコンインサート部；及び
上記シリコンインサート部の内側に挿入されるステンレス支持部を含み、
上記シリコンリングと上記円形キャップ、上記シリコンフレーム及び上記シリコンインサート部が一体型に形成される早漏防止用器具。
【請求項２】
上記円形キャップの先端面は膨らんだ湾曲面に形成される、請求項1記載の早漏防止用器具。
【請求項３】
上記シリコンインサート部の後段部は上記円形キャップの直径より大きい直径を有するように半径方向に拡張され引っかかる部分が形成される、請求項2記載の早漏防止用器具。
【請求項４】
上記ステンレス支持部はチューブ管形態をなす1個または2個のパートで形成される、請求項3記載の早漏防止用器具。
【考案の詳細な説明】
【技術分野】
【０００１】
本考案は早漏防止用器具に関し、さらに詳しくは陰茎の亀頭に装着される早漏防止用器具にに関する。
【背景技術】
【０００２】
早漏防止方案の一つとして外科的手術方案がある。外科的手術としては陰茎神経を切除して射精を遅延させる陰茎背主神経切除術などがある。しかしこのような方法は不感症を招く副作用がありうるし、外科的措置では患者の経済的、時間的、心理的な負担感が大きいという問題点がある。
【０００３】
このような外科的手術方案以外に器具と薬品を利用して射精を遅延させる方案等がある。
【０００４】
大韓民国公開特許第10-2004-0059583号(2004.07.06．公告、以下、本文献とする)では早漏防止用コンドームを記載している。本文献ではコンドーム内部に含まれるリドカインのような局所麻酔剤を使用して射精を遅延させる構成を記載している。
【０００５】
その他、スプレー、クリーム及びジェルタイプの局所麻酔剤を陰茎の亀頭部に直接塗る方案などもある。
【０００６】
しかしこのような薬品を利用して射精を遅延させる方法は子供を作ろうとする夫婦には危険性が大きい。また塗布量によって使用者によっては副作用が現れる事がある。
【先行技術文献】
【特許文献】
【０００７】
大韓民国公開特許第10-2004-0059583号(2004.07.06.公告)
【考案の概要】
【考案が解決しようとする課題】
【０００８】
これに対して、本考案は上記の問題点を解決するためのものであり、薬品や外科的な治療ではなく器具による刺激を与える事で陰茎の亀頭部の異常な感覚状態を相殺する早漏防止用器具を提供する事をその目的とする。
【０００９】
本考案が解決しようとする課題は以上で言及された課題に限定されず、ここで言及されていないその他の課題等は以下の記載から当業者に明確に理解される事であろう。
【課題を解決するための手段】
【００１０】
上記の目的を達成するための本考案は、亀頭部の下段部に密着するように挟まれて上記亀頭部のカリに引っかかるシリコンリングと、吐出ホールが形成された円形キャップと、上記シリコンリングから始まって上記円形キャップの外周面まで連結されて内部に上記亀頭部の受容空間を形成して、相互に離隔されて形成される少なくとも二つの線形シリコンフレームと、円筒形に形成され内部に尿道が挿入される挿入ホールが形成されて、上記挿入ホールが上記突出ホールと連結されるよう上記円形キャップから上記シリコンリング方向に下向きに連結され、上記受容空間の外周面の半径方向に突出されて形成される少なくとも二つの突起部が含まれるシリコンインサート部及び上記シリコンインサート部の側壁内側に挿入されるステンレス支持部を含み、上記シリコンリングと上記円形キャップ、上記シリコンフレーム及び上記シリコンインサート部は一体型に形成される早漏防止用器具を提供する事が出来る。
【００１１】
望ましくは、上記円形キャップの先端面は膨らんだ湾曲面に形成されうる。
【００１２】
望ましくは、上記シリコンインサート部の後段部は上記円形キャップの直径より大きい直径を持つよう半径方向に拡張され引っかかる部分が形成されうる。
【００１３】
望ましくは、上記ステンレス支持部はチューブ管形態をなす1個または2個のパートで形成されうる。
【考案の効果】
【００１４】
本考案の一実施例によると、尿道に挿入されて尿道の中を刺激するシリコンインサート部が弱い痛みを起こして陰茎の亀頭部の異常な感覚状態を相殺して伸縮性のあるシリコンインサート部を具備して射精反射を遅延させる(ような)有利な効果を提供する。
【００１５】
また、本考案の一実施例によると、陰茎の亀頭部のカリに引っかかるシリコンリングと吐出ホールが形成された円形キャップを具備する事で陰茎に装着した状態で精液を円滑に射精出来る有利な効果を提供する。従って、妊娠を願う夫婦に非常に適しうる。
【００１６】
また、本考案の一実施例によると、線形シリコンフレームを具備して性交時に性的刺激を十分に感じうる有利な効果を提供する。
【図面の簡単な説明】
【００１７】
【図１】本考案の望ましい一実施例による早漏防止用器具を示した図である。
【図２】図1で図示した早漏防止用器具の断面を示した図である。
【図３】図1で図示したシリコンインサート部を示した図である。
【図４】図1で図示したシリコンインサート部の他の変形例を示した図である。
【考案を実施するための形態】
【００１８】
以下、本考案の望ましい実施例を、添付された図面等を参照して詳細に説明する。まず各図面の構成要素等に参照符号を付加するに当たり、同一の構成要素等については例え異なる図面上に表示されても可能な限り同一の符号となるようにしている事に留意しなければならない。尚、以下で本考案の望ましい実施例を説明するが、本考案の技術的思想はそれに限定されたり制限される事なく当業者によって変形されて多様に実施される事はもちろんの事である。
【００１９】
本出願で使用した用語はただ特定の実施例を説明するために使用されたものであって、本考案を限定する意図はない。単数の表現は文脈上明らかに異なる意味でない限り、複数の表現を含む。本出願で”“含む”または“持つ”などの用語は明細書上に記載された特徴、数字、段階、動作、構成要素、部品またはこれらを組み合わせたものが存在することを指定するためであり、一つまたはそれ以上の別の特徴や数字、段階、動作、構成要素、部品またはこれらを組み合わせた物の存在または付加可能性を前もって排除しないものと理解されるべきである。
【００２０】
図1は本考案の望ましい一実施例による早漏防止用器具を図示した図面で、図2は図1で図示した早漏防止用器具の断面を図示した図面である。ここで、図1及び図2は本考案を概念的に明確に理解するために主な特徴部分だけを明確に図示したものであり、その結果、図解の多様な変形が予想され、図面に図示された特定の形状によって本考案の範囲が制限される必要はない。
【００２１】
図1及び図2を並行に参照すると、本考案の望ましい一実施例による早漏防止用器具はシリコンリング110と、円形キャップ120と、線形シリコンフレーム130と、シリコンインサート部140と、ステンレス支持部150を含みうる。
【００２２】
シリコンリング110は環形のリング形態に構成され、シリコンの様な柔軟な素材で出来ている。このようなシリコンリング110は陰茎の亀頭部の下段部に密着するように挟まれて亀頭部のカリに引っかかるように形成される。そのため、性交時に一実施例によると早漏防止用器具が抜ける事を防止出来る。
【００２３】
円形キャップ120は中心部に吐出ホール121が形成される。吐出ホール121を通じて精液が外に吐出されうる。円形キャップ120もまた、柔軟なシリコン素材からなりうる。一方、円形キャップ120の先端面122は膨らんだ湾曲面で形成されうる。これは性交時の円滑な挿入を誘導するためである。
【００２４】
線形シリコンフレーム130は陰茎の亀頭部が位置する受容空間を形成するようにシリコンリング110と円形キャップ120を支持する役割をする。このような線形シリコンフレーム130はシリコンリング110から始まって円形キャップ120の外周面まで連結されるように形成されうる。
【００２５】
図1で図示したように、すべて3つの線形シリコンフレーム130が相互に離隔されて内部に陰茎の亀頭部が位置する受容空間を形成出来る。この時、線形シリコンフレーム130の個数は変形実施出来る。
【００２６】
このような線形シリコンフレーム130は陰茎の亀頭を完全に覆わないため、性交時に性的刺激を十分に感じる事が出来るようにする。
【００２７】
シリコンインサート部140は陰茎の尿道に挿入され精液が円形キャップ120の吐出ホール121を通じて排出されるように誘導し、陰茎の亀頭部の異常な感覚状態を相殺する器具的刺激を付与する役割をする。
【００２８】
このようなシリコンインサート部140は円筒型に形成されて円形キャップ120からシリコンリング110方向に下向きに延長形成されうる。そしてシリコンインサート部140は内部に陰茎の尿道に挿入される挿入ホール141が形成されうる。ここで挿入ホール141は吐出ホール121と連通されるよう形成される。
【００２９】
また、シリコンインサート部140の外周面には複数個の突起部142が半径方向に突出され形成されうる。突起部142は性交時に尿道の内側を刺激して射精反射作用を遅延させる役割をする。このような突起部142は実際の性交時には相手には何の影響も与えない利点がある。
【００３０】
上記のシリコンリング110、円形キャップ120、線形シリコンフレーム130及びシリコンインサート部140はシリコンを素材として一体型に形成されうる。
【００３１】
図3は図1で図示したシリコンインサート部を図示した図面であり、図4は図1で図示したシリコンインサート部の他の変形例を図示した図面である。
【００３２】
図3及び図4を参照すると、ステンレス支持部150はシリコンインサート部140の内側に挿入され尿道を圧搾する事で、一実施例による早漏防止用器具が陰茎の亀頭部から抜けないように支持するし、少ない力で変形しやすいシリコン材質のシリコンインサート部140の形態を維持する事で射精時に円滑な通路の陰茎の亀頭部から抜けないように支持する役割をする。
【００３３】
このようなステンレス支持部150は円筒型に形成されシリコンインサート部140の側壁に挿入されうる。
【００３４】
一方、ステンレス支持部150の変形例として、図4で図示したように、チューブ管形態をなす1つまたは2つのパート151,152から構成されうる。この時、シリコンインサート部140の断面の中心をCとする場合、外径R1より小さめに形成される各パート151,152の半径は陰茎及び亀頭部の形態によって相違するように形成されうる。
【００３５】
以上で本考案の望ましい一実施例による早漏防止用器具に関して添付された図面を参照しながら具体的に察しみた。
【００３６】
以上の説明は本考案の技術思想を例示的に説明した事に過ぎず、本考案が属する技術分野で通常の知識を有する者であれば本考案の本質的な特性から外れない範囲内で多様な修正、変更及び置換が可能である。従って、本考案に開示された実施例及び添付された図面などは本考案の技術思想を限定するためのものではなく説明するためのものであり、このような実施例及び添付された図面によって本考案の技術思想の範囲が限定されるものではない。本考案の保護範囲は以下の請求範囲によって解釈されるべきであり、それと同等な範囲内にあるすべての技術思想は本考案の権利範囲に含まれるものと解釈されるべきである。
【符号の説明】
【００３７】
１１０  シリコンリング
１２０  円形キャップ
１２１  吐出ホール
１２２  先端面
１３０  線形シリコンフレーム
１４０  シリコンインサート部
１４１  挿入ホール
１４２  突起部
１５０  ステンレス支持部
【図１】
0003191694.tif 000003
【図２】
0003191694.tif 000004
【図３】
0003191694.tif 000005
【図４】
0003191694.tif 000006